(57)【特許請求の範囲】
【請求項１】
機能単位を備え、摺動ピンに操作可能に嵌合し且つ該機能単位と接続したアクチュエータを内部に保持する把手として形成した外被、該機能単位と操作可能に嵌合した管状探針、並びに該探針の内部に同軸に保持され且つ把持部材として構成した先端部へと伸長している杆状体とを含んで構成し、前記杆状体は隙間で分割された対向する２つの円弧状壁又は半円状壁により形成される凹部を備えた互いに相対的に可動なそれぞれの端部が互いに向き合った脚を備えた２つのアームを有し、圧搾あるいは圧迫することなく自由に微小組織を把持するように前記２つのアームは、管状探針をアームの脚から遠ざけた第１の位置においては互いに開いた弾性張力状態となり管状探針をアームの脚へ近づけた第２の位置においては２つのアームが互いに接するように押圧され対向する前記凹部が共通の凹部を形成するように動くことを特徴とする眼科用顕微手術用器具。
【請求項２】
光源に接続した光ガイドを含んで構成し、該光ガイドを前記探針から前記２つのアームにより形成する共通の凹部方向へ突出した前記先端部に合せて配置したことを特徴とする請求項１記載の眼科用顕微手術用器具。
【請求項３】
前記光ガイドが前記凹部に向けて光線を放射する前面を有することを特徴とする請求項２記載の眼科用顕微手術用器具。
【請求項４】
前記光ガイドの前面を凸レンズとして構成したことを特徴とする請求項２記載の眼科用顕微手術用器具。
【請求項５】
前記光ガイドの前面が光学レンズを備えていることを特徴とする請求項４記載の眼科用顕微手術用器具。
【請求項６】
前記光ガイドの前面は光ガイドの長軸に対し傾斜して構成し前記凹部に向くようにしたことを特徴とする請求項２記載の眼科用顕微手術用器具。
【請求項７】
前記アームを閉じる際、前記２つのアームと一体に構成した爪状の脚の対向するエッジがアーム前部において互いに接するように押圧され前記凹部が形成されることを特徴とする請求項１記載の眼科用顕微手術用器具。
【請求項８】
互いに対向する前記エッジを備えた前記各脚の大きさは円柱状前記杆状体の径の半分より小さいことを特徴とする請求項７記載の眼科用顕微手術用器具。
【請求項９】
前記アームが閉じた状態において前記共通凹部が涙滴状を呈するように各アームの凹部は前部の脚から前記隙間の方向へ円弧状に形成したことを特徴とする請求項１記載の眼科用顕微手術用器具。
【請求項１０】
前記涙滴状凹部の内部長が前記涙滴状凹部の内部幅よりも大きいことを特徴とする請求項９記載の眼科用顕微手術用器具。
【請求項１１】
前記アームが閉じた状態において前記共通凹部が楕円状を呈するように各アームの凹部は前部の脚から前記隙間の軸方向へ円弧状に形成したことを特徴とする請求項１記載の眼科用顕微手術用器具。
【請求項１２】
前記楕円状凹部の軸方向の内部長がそれに垂直な前記楕円状凹部の内部幅よりも小さいことを特徴とする請求項１１記載の眼科用顕微手術用器具。
【請求項１３】
前記アームが閉じた状態において前記共通の凹部が円形を呈するように各アームの凹部は前部の脚から前記隙間の軸方向へ円弧に形成したことを特徴とする請求項１記載の眼科用顕微手術用器具。
【請求項１４】
前記円形共通凹部の内径と前記管状探針の外径がほぼ同じであることを特徴とする請求項１３記載の眼科用顕微手術用器具。
【請求項１５】
前記円柱状杆状体から前記先端部へと延びている２つのアームの対向する側面の形状が直線あるいは円弧状を呈した先細りであることを特徴とする請求項１記載の眼科用顕微手術用器具。
【請求項１６】
前記円柱状杆状体は夫々が爪状の先端部へと延びた２つの半円状の断面を有する部分を含んで構成していることを特徴とする請求項１記載の眼科用顕微手術用器具。
【請求項１７】
前記杆状体及び前記光ガイドを受けるように前記管状探針を構成し、一端には案内スリーブ内に保持した第１の管状体を他端には同軸に前記杆状体を保持する第２の管状体を配置したことを特徴とする請求項２記載の眼科用顕微手術用器具。
【請求項１８】
前記第１の管状体及び第２の管状体を備えた前記探針は静止した杆状体を備えた先端部に対し軸方向に相対的に動くユニットとして形成したことを特徴とする請求項１７記載の眼科用顕微手術用器具。
【請求項１９】
前記第１の管状体が前記光ガイドを挿入するため入口開口部を備え、軸方向にある距離を隔てて前記探針の上部に前記光ガイドを取出す出口開口部を備えたことを特徴とする請求項１７記載の眼科用顕微手術用器具。
【請求項２０】
前記出口開口部から出た光ガイドの先端を前記第２の管状体の外壁に配置したことを特徴とする請求項１９記載の眼科用顕微手術用器具。
【発明の詳細な説明】
【０００１】
【発明の属する技術分野】
本発明は眼科専用であるが網膜の手術に限定したものではなく、把手として形成した外被とその外被に操作可能に連結した軸状の探針を有した顕微手術用器具で、その探針は顕微手術用として構成した先端部材を備えた軸方向に伸長した杆状体を受けるように構成した顕微手術用器具に関する。
【０００２】
【従来の技術】
例えば、高張あるいは他の血管の変化に起因する網膜疾病の外科的処置の際に生ずる問題が知られている。血管の変化に起因する典型的な疾病において、動脈と静脈が交差する箇所に静脈側枝閉塞（phlebemphraxis）が生じることがある。ほぼ透明な外皮鞘あるいは膜が囲んでいる動脈と静脈が交差する領域において、静脈を覆っている動脈が血流の障害となる閉塞を生じるように静脈を圧迫することもある。
【０００３】
眼科用器具を用いた実験により、上記外皮膜を外科的に切除することにより静脈側枝閉塞をほぼ除去するかあるいは防止できることが明らかにされている。すなわち、顕微手術中に透明外皮膜を除去し静脈から動脈を分離すると、この領域の血流が回復する。
【０００４】
【発明が解決しようとする課題】
このような従来の顕微手術用器具を用いた場合には、動脈の静脈からの分離により動脈あるいはその下にある静脈を損傷するおそれがあった。更に、分離中に動脈が顕微手術用器具により締付けられ、上記の繊細な血管を損傷するおそれがあった。
【０００５】
従って、これらの欠点を克服する改良外科器具の提供が望まれ且つ有益である。
【０００６】
顕微手術を行なう際には、動脈が圧搾されたり、締付けられたりあるいは圧迫されたりしないように動脈を僅かに引張り、静脈が拘束されないように、静脈から離すことが大切である。
【０００７】
本発明の目的は上記欠点を除くように設計し、且つ微小組織を簡単に保持できる器具によって繊細な血管を保持するように構成した改良眼科用器具を提供することである。
【０００８】
更に、血管などの繊細な微小組織を自由に保持できる２つの把持用アームを備えた改良眼科用器具を提供することも本発明の目的としている。
【０００９】
【課題を解決するための手段】
本発明によって、以下に述べる構成の眼科用器具を提供することが可能となる。
【００１０】
（１）機能単位を備え、摺動ピンに操作可能に嵌合し且つ該機能単位と接続したアクチュエータを内部に保持する把手として形成した外被、該機能単位と操作可能に嵌合した管状探針、並びに該探針の内部に同軸に保持され且つ把持部材として構成した先端部へと伸長している杆状体とを含んで構成し、前記杆状体は隙間で分割された対向する２つの円弧状壁又は半円状壁により形成される凹部を備えた互いに相対的に可動なそれぞれの端部が互いに向き合った脚を備えた２つのアームを有し、圧搾あるいは圧迫することなく自由に微小組織を把持するように前記２つのアームは、管状探針をアームの脚から遠ざけた第１の位置においては互いに開いた弾性張力状態となり管状探針をアームの脚へ近づけた第２の位置においては２つのアームが互いに接するように押圧され対向する前記凹部が共通の凹部を形成するように動くことを特徴とする眼科用顕微手術用器具。
【００１１】
（２）光源に接続した光ガイドを含んで構成し、該光ガイドを前記探針から前記２つのアームにより形成する共通の凹部方向へ突出した前記先端部に合せて配置したことを特徴とする前記（１）記載の眼科用顕微手術用器具。
【００１２】
（３）前記光ガイドが前記凹部に向けて光線を放射する前面を有することを特徴とする前記（２）記載の眼科用顕微手術用器具。
【００１３】
（４）前記光ガイドの前面を凸レンズとして構成したことを特徴とする前記（２）記載の眼科用顕微手術用器具。
【００１４】
（５）前記光ガイドの前面が光学レンズを備えていることを特徴とする前記（４）記載の眼科用顕微手術用器具。
【００１５】
（６）前記光ガイドの前面は光ガイドの長軸に対し傾斜して構成し前記凹部に向くようにしたことを特徴とする前記（２）記載の眼科用顕微手術用器具。
【００１６】
（７）前記アームを閉じる際、前記２つのアームと一体に構成した爪状の脚の対向するエッジがアーム前部において互いに接するように押圧され前記凹部が形成されることを特徴とする前記（１）記載の眼科用顕微手術用器具。
【００１７】
（８）互いに対向する前記エッジを備えた前記各脚の大きさは円柱状前記杆状体の径の半分より小さいことを特徴とする前記（７）記載の眼科用顕微手術用器具。
【００１８】
（９）前記アームが閉じた状態において前記共通凹部が涙滴状を呈するように各アームの凹部は前部の脚から前記隙間の方向へ円弧状に形成したことを特徴とする前記（１）記載の眼科用顕微手術用器具。
【００１９】
（１０）前記涙滴状凹部の内部長が前記涙滴状凹部の内部幅よりも大きいことを特徴とする前記（９）記載の眼科用顕微手術用器具。
【００２０】
（１１）前記アームが閉じた状態において前記共通凹部が楕円状を呈するように各アームの凹部は前部の脚から前記隙間の軸方向へ円弧状に形成したことを特徴とする前記（１）記載の眼科用顕微手術用器具。
【００２１】
（１２）前記楕円状凹部の軸方向の内部長がそれに垂直な前記楕円状凹部の内部幅よりも小さいことを特徴とする前記（１１）記載の眼科用顕微手術用器具。
【００２２】
（１３）前記アームが閉じた状態において前記共通の凹部が円形を呈するように各アームの凹部は前部の脚から前記隙間の軸方向へ円弧に形成したことを特徴とする前記（１）記載の眼科用顕微手術用器具。
【００２３】
（１４）前記円形共通凹部の内径と前記管状探針の外径がほば同じであることを特徴とする前記（１３）記載の眼科用顕微手術用器具。
【００２４】
（１５）前記円柱状杆状体から前記先端部へと延びている２つのアームの対向する側面の形状が直線あるいは円弧状を呈した先細りであることを特徴とする前記（１）記載の眼科用顕微手術用器具。
【００２５】
（１６）前記円柱状杆状体は夫々が爪状の先端部へと延びた２つの半円状の断面を有する部分を含んで構成していることを特徴とする前記（１）記載の眼科用顕微手術用器具。
【００２６】
（１７）前記杆状体及び前記光ガイドを受けるように前記管状探針を構成し、一端には案内スリ−ブ内に保持した第１の管状体を他端には同軸に前記杆状体を保持する第２の管状体を配置したことを特徴とする前記（２）記載の眼科用顕微手術用器具。
【００２７】
（１８）前記第１の管状体及び第２の管状体を備えた前記探針は静止した杆状体を備えた先端部に対し軸方向に相対的に動くユニットとして形成したことを特徴とする前記（１７）記載の眼科用顕微手術用器具。
【００２８】
（１９）前記第１の管状体が前記光ガイドを挿入するため入口開口部を備え、軸方向にある距離を隔てて前記探針の上部に前記光ガイドを取出す出口開口部を備えたことを特徴とする前記（１７）記載の眼科用顕微手術用器具。
【００２９】
（２０）前記出口開口部から出た光ガイドの先端を前記第２の管状体の外壁に配置したことを特徴とする前記（１９）記載の眼科用顕微手術用器具。
【００３０】
【発明の実施の形態】
全ての図において、同一あるいは相当する構成要素には同じ符号を用いた。
【００３１】
図１は人間の眼２０の拡大平面模式図であり、角膜１、虹彩２、強膜３、毛様体輪４、硝子体腔５．１も含んだ硝子体５、水晶体６、網膜７、毛様体突起（小帯繊維）８を含んでいる。目の後方部分には視神経円板１０があり、網膜の神経繊維が集まって目の外部へ伸長している視神経束９を形成している。
【００３２】
視神経束９で囲まれた中央動脈・静脈系１１は視神経円板１０内において数本に分岐し、２つの血管系１５及び１５．１を形成している。図１に模式的に示した血管系１５を構成する動脈１２と静脈１３は、例えば交差位置１４において比較的薄い透明な外皮鞘あるいは膜で結合している（図２参照）。各血管系１５及び１５．１の動脈１２及び静脈１３夫々の外径は約０．１ｍｍから０．１５ｍｍである。
【００３３】
図１は、毛様体輪４の部分にある切開部４．１から硝子体腔５．１へと伸長している挿入用針としての探針４６も図示している。探針４６の外径は約１ｍｍ、内径は約０．８ｍｍである。前端を探針４６から突出させて探針４６内に同軸に杆状体を配置し、杆状体の前端に先端部５０を形成して微小組織を把持するようにしている。把持部材として形成した先端部５０の好ましい形態及び変形例については以下に述べる。
【００３４】
図２は図１の円Ｋで囲んだ血管系１５の領域１４を３次元的に拡大した図であり、探針４６から突出した先端部５０の把持部材が静脈１３を覆っている動脈１２を把持している状態を示している。図２に模式的に示すように、領域１４内の動脈１２及び静脈１３は外皮１６のほぼ透明な鞘あるいは膜で囲まれ結束されている。動脈１２が静脈１３を覆って互いに押圧している領域において動脈１２が静脈１３を圧迫、圧搾あるいは締付けている条件では、部分的あるいは全体に静脈側枝の閉塞が生じる可能性がある。図２に符号１７で模式的に示すように外皮鞘１６を切開するかあるいは完全に除去すると、静脈を圧搾あるいは締付けないように動脈を移動でき、静脈側枝の閉塞はほぼ防止あるいは除去できる。このような顕微手術では外皮鞘を切断あるいは除去している間に、同時に先端部５０を用いて静脈１３を僅かでも圧搾あるいは締付けないように図２にＹ、Ｙ′で示す矢印の方向へ動脈１２を引張って移動する必要がある。
【００３５】
図２に模式的に示すように、手術中に外科医の目１８が軸１９に沿って動脈１２を見られるように凹部５５を備えた先端部５０を構成することが好ましい。
【００３６】
図３には眼科用器具２５の別の実施例を示し、把持部材が微小組織を把持できるように先端部５０を構成している。基本的には器具２５はキャップ２８を備えた末端で堅く結合している２つの半円状の外被部材２６及び２７で構成する把手としての外被２４を含んで構成している。外被部材２６及び２７の間には拡張機構３０及びガイド部材３１に操作可能に結合している搬送アーム２９が備わっている。搬送アーム２９はアクチュエータ４０及び探針４６（図４、５参照）を備えた機能単位３５にネジで嵌合しており、アクチュエータ４０はガイド部材３１と拡張機構３０に操作可能に結合している。
【００３７】
図３に示す器具２５の実施例において２つの外被部材２６及び２７を矢印Ｚ方向に動かすと、ガイド部材３１内に備えた摺動ピン３２は拡張機構により軸方向に摺動可能となる。２つの外被部材２６及び２７を矢印Ｚ′方向に動かすと摺動ピン３２は機能単位３５内に備えた付勢バネ４４の復元力により軸方向を逆に摺動するようになる（図４及び５参照）。
【００３８】
図４に断面を拡大して示す機能単位３５は、案内スリーブ４５を把持している凹部３３．１を有するスイベル・ナット３３を備え、その案内スリーブ４５は中間リング３３．２を有し外周に固定用環３４を備えている。固定ネジ３４．１で固定用環３４を案内スリーブ４５に保持し、全体を構造単位として纏めている。アクチュエータ４０は一端に円筒部４２を有し、図には示していないが、案内スリーブ４５の凹部４５．１に備えた摺動ピン３２と共動するようになっている。案内スリーブ４５の凹部４５．１内の付勢バネ４４は円筒部４２にその片側を保持されている。
【００３９】
アクチュエータ４０は径方向に広がる盲孔４１及び対応する凹部４１．１を有している。盲孔４１は伸長した杆状体４７を保持する中空針として形成した探針４６を受け且つ保持するように構成している。杆状体４７の自由端近傍に好ましくは杆状体４７と一体に形成した先端部５０を備えている。詳細を図示していないが、管状の探針４６を例えば接着剤、はんだあるいは溶接によりアクチュエータに操作可能に結合している。探針４６が保持している杆状体４７の端部は案内スリーブ４５にねじ込んだ少なくとも１つの固定用ネジ４３により軸がずれないように保持されている。管状探針から突出している杆状体４７の他端に微小組織を把持するように構成した先端部５０を配置する。図４では探針４６が矢印Ｘ′の方向へ引き込まれているので先端部５０はほぼ開放状態となっている。
【００４０】
図５には各構成要素を備えた上記機能単位３５を示す。図４から変化して、固定用ネジ３４．１により案内スリーブ４５に固定した杆状体４７に対してアクチュエータ４０は付勢バネ４４の復元力に抗して軸方向である矢印Ｘの方向に沿って相対的に移動する。図３に示す器具２５を眼科医が使用することにより管状探針４６が杆状体４７に備えた先端部に対し軸方向へ相対的な動くようになる。
【００４１】
以下、管状探針４６内に備えた杆状体４７の種々の実施例について、杆状体と一体に構成可能な把持部材としての先端部と併せて説明する。以下の説明では杆状体には符号４７、先端部には符号５０を用いた。
【００４２】
図６〜８の各図は管状探針４６の拡大断面図で、杆状体４７を探針４６と同軸に配置している。この実施例では杆状体４７は単一の伸長した円柱体として構成し、探針４６から突出している部分は第一変形例としての開放状態の先端部５０を示している。探針４６の前端内面に面取り３９を施している。
【００４３】
先端部５０は前端６０から始まり、杆状体４７が隙間５２の領域で２つの軸方向に延びる部分あるいはアーム４７．１及び４７．２に分かれるように構成している。バネ弾性張力を付与するように２つのアーム４７．１及び４７．２は対称軸Ｓ−Ｓに対して拡張あるいは外側に曲げることにより、軸方向に隙間５２を形成している。この位置において２つのアーム４７．１及び４７．２の互いに対して反対側の面は先端部５０方向に傾斜した滑り面５１及び５１．１を形成している（図６参照）。滑り面５１及び５１．１は平面あるいは円弧状に傾斜した面に形成しても良い。
【００４４】
杆状体の前部において、アーム４７．１は脚５４と一体に形成した第１の円弧状壁５３の内面によって形成する第１の凹部５５．１を備えている。他方のアーム４７．２は脚５４．１と一体に形成した第２の円弧状壁５３．１の内面によって形成する第２の凹部５５．２を備えている。端部が互いに向き合っている２つの脚５４及び５４．１は夫々エッジ５６及び５６．１を備えている。閉じた状態ではエッジ５６及び５６．１は対称軸Ｓ−Ｓに垂直に互いに接するように押圧され、継ぎ目６０．１を形成している（図８参照）。
【００４５】
図７は管状探針４６の一部及びそれに保持されている先端部５０と一体に形成した杆状体４７の側面図である。対称軸Ｓ−Ｓに垂直な凹部５５を備えた先端部５０は前端６０から杆状体４７の円柱部の方向へと涙滴状に広がっており、２つの壁５３及び５３．１の両側にある壁５７及び５７．１は平面あるいは円弧状に形成しても良い。
【００４６】
図８は先端部５０及び凹部５５と一体に形成した杆状体４７を備えた探針４６を示しており、先端部は閉じた状態にある。２つの円弧状凹部５５．１及び５５．２で形成する凹部５５の対称軸Ｓ−Ｓ方向の内部長Ｌは内部幅Ｈよりも大きい。先端部５０が閉じた状態では２つのアーム４７．１及び４７．２の対向する２つの内側のエッジ（特に符号は付けていない）を互いに接するように押圧すると、隙間５２（図６参照）は継ぎ目５２．１となり、２つの脚５４及び５４．１は継ぎ目６０．１を形成する。
【００４７】
図９は図８の矢印Ａ方向から見た先端部５０の拡大正面図で杆状体４７の２つのアーム４７．１及び４７．２と一体形成した一部を破断面で示す第１の脚５４及びそれに対向する第２の脚５４．１を示している（図６参照）。閉じた状態では２つの脚５４及び５４．１の対向するエッジ５６及び５６．１は継ぎ目６０．１に沿って互いに接するように押圧されている。図９には管状探針４６内に配置した杆状体４７及び隙間５２が形成する継ぎ目５２．１も示している。
【００４８】
図１０は図８のＢ−Ｂ断面図で管状探針４６、隙間５２で分割されている２つのアーム４７．１及び４７．２を備えた管状探針内に同軸に配置した杆状体４７及び継ぎ目６０．１で互いに接するように押圧されている２つの脚５４及び５４．１を示している。
【００４９】
図１１は別の実施例である先端部５０を有する杆状体４７の正面図であり、図１２は図１１のＣ−Ｃ断面図で杆状体４７の断面を示す。壁５３、５３．１及び脚５４、５４．１を備えた杆状体４７の先端に一体に形成した先端部５０は図６及び８に述べた先端部５０に基づいて構成する。上記実施例（図６〜８）の変形である図１１、１２の実施例では断面半円状の２つの部材４８及び４８．１を含んで構成している。その部材４８及び４８．１の末端は互いにレーザ溶接で接合している。端部近辺で断面半円状の部材は軸方向に延びる隙間５２により２つのアーム４８及び４８．１に分割され、バネ弾性張力を有するよう互いに拡張される。
【００５０】
図１３は管状探針４６及びその内部に同軸状に配置した杆状体４７の拡大図である。杆状体４７の前端に第２の変形としての先端部５０を開いた状態で構成している。隙間５２によって杆状体４７は２つのアーム４７．１及び４７．２へと分割され、その反対側に先端部５０方向へ傾斜している滑り面５１及び５１．１を備えている。２つのアーム４７．１及び４７．２は対称軸Ｓ−Ｓに関して互いに広げるかあるいは隙間が生じるように曲げられる。アーム４７．１の先端部は一体に形成した円弧状壁５３及び脚５４が形成する内面円弧部に凹部５５．１を備えている。他のアーム４７．２は一体に形成した円弧状壁５３．１及び脚５４．１が形成する第２の凹部５５．２を備えている。先端部が閉じた状態では２つの凹部５５．１及び５５．２が凹部５５を形成する。
【００５１】
図１４は内部に同軸に配置した杆状体４７を備えた探針４６及び凹部５５を備えた先端部５０を示す。閉じた状態（図１４）では前部の脚の対向する面（符号はつけていない）は互いに接するように押圧されている。この変形例では凹部５５の軸方向内部長Ｌは凹部５５の内部幅Ｈよりも小さい。
【００５２】
図１５及び１６に示した管状探針４６内に同軸に配置した杆状体４７の第三の変形では、先端部５０と一体に形成した杆状体が隙間５２によって軸方向に２つのアーム４７．１及び４７．２に分離している。杆状体４７及び先端部５０の各構成要素は図１３及び１４の実施例と実質的に同じである。本実施例ではアーム４７．１及び４７．２の凹部５５．１及び５５．２並びに脚５４及び５４．１を備えた２つの壁５３及び５３．１を半円形に形成している。閉じた状態（図１６）では２つの脚５４及び５４．１は夫々の前端（符号を付いていない）で互いに接するように押圧されている。この実施例においては、凹部５０の内径Ｍは探針４６の径１．０ｍｍとほぼ同じである。
【００５３】
図１７は更に別の変形例であり、機能単位３５を備えた案内スリ−ブ４５を貫通している眼科用器具２５の３次元図を示す。本実施例では探針４６の一端に第１の管状部材３６を保持し、他端に第２の管状部材３８を取付けている点が図４及び５に示した実施例と異なっている。先端部５０を備えた杆状体４７の前端を第２の管状部材３８内に同軸に保持されている把持部材として構成し、中空針として形成している探針４６及び第１の管状部材３６を偏心状態で貫通し突出している。探針４６を備えた第１の管状部材３６及び第２の管状部材３８並びに図４及び５に示すアクチュエータ４０とにより軸方向に摺動可能なユニットを形成している。
【００５４】
案内スリーブ４５の管状部材３６には光ガイド２２の寸法に対応する入口開口部３７が設けてあり、光ガイドはその開口部を通って探針４６の内部空間４６．１（図１８）へと挿入されている。図１７に模式的に示すように出口開口部４９から突出した光ガイド２２はその前面２３からの放射光が先端部５０の凹部５５を照射するように管状部材３８の外側に取付けている。
【００５５】
光ガイド２２は図１７に模式的に示す光源２１に接続している。光源２１は例えば器具２５の外被２４内に備えた電池を用いる（図３参照）。更には、ここでは詳細を示していないが、眼科用装置に光ガイド２１を接続しても良い。
【００５６】
図１８は図１７に示す探針４６のＤ−Ｄ断面図を拡大して示し、杆状体４７及びアーム４７．１、４７．２並びに光ガイド２２が内部空間４６．１に偏心した状態で配置されている。
【００５７】
図１９は図１７に示す第２の管状部材３８及びその内部に同軸に配置した杆状体４７及び管状部材３８の外側に取付けた光ガイド２２のＥ−Ｅ断面図である。
【００５８】
図２０は図１７の矢印Ｆの方向からの拡大平面図で、出口開口部４９を備えた管状探針４６、第２の管状部材３８及び閉じた状態の先端部５０を示している。更に図２０には第２の管状部材に取付け、出口開口部４９より突出している光ガイド２２も図示している。光ガイド２２は図示していない手段により第２の管状部材３８に取付け可能である。光束５８の光線５９が限定された広がり角度で先端部５０の凹部５５へと向かうように光ガイド２２の前面は長軸方向に対し傾斜している。実施例によっては光ガイド２２の前面２３にレンズを配置するかあるいは光ガイド自身をレンズとして構成しても良い。
【００５９】
図２０に示すように光ガイドの前面２３は第２の管状部材３８の前端（符号は付していない）と同一になっている。
【００６０】
図６〜図１６の符号４７で示した杆状体及び符号５０で示した先端部の変形実施例は図１７〜図２０の実施例に適用可能なことは明らかである。
【００６１】
凹部５５を備えた先端部５０が図２に模式的に示す血管１２を把持し、眼科医からよく見えるように、中空針として形成した探針４６内に保持している杆状体４７を固定ネジ４３（図４、５）によってアクチュエータ４０に適宜に取付けている。
【００６２】
上記の装置は当技術の範囲内で変形、改造及び構造を変更しても良い。
【００６３】
顕微手術用の眼科用器具を図示及び説明してきたが、本発明の趣旨から逸脱することなく種々の改造、構造の変更が可能なので、本発明は上記の図及び説明に限定するものではない。
【００６４】
【発明の効果】
本発明によれば、微小組織を簡単に保持できる器具によって繊細な血管を保持するように構成した改良眼科用器具を提供することができる。
【００６５】
更に、本発明により血管などの繊細な微小組織を自由に保持できる２つの把持用アームを備えた改良眼科用器具を提供することもできる。
【００６６】
上記に加えて本発明により、下記の特徴を備えた眼科用器具を提供できる。すなわち、本発明による顕微手術用器具は同軸に配置した杆状体を備えた探針を有し、該杆状体は先端部を有し、その先端部から軸方向に伸長する２つのアームが隙間により分離され、２つの該アームはバネ弾性を付与するため互いに離れた位置に広げておくことが可能である。２つの該アームが閉じた際、該アームの夫々の先端部に杆状体軸に垂直な凹部が形成され、その凹部に血管などの微小組織が簡単に且つ自由に保持できる。
【図面の簡単な説明】
【図１】  硝子体内の円Ｋで囲んだ血管が交差する近傍に本発明による手術器具を挿入した眼内手術中の目の水平断面拡大図
【図２】  顕微手術中に顕微手術用器具の把持具で保持した図１の円Ｋで囲んだ部分の血管系３次元拡大図
【図３】  探針及び把持具を備えた顕微手術用器具の透視図
【図４】  探針及びその内部に配置した把持具付き杆状体を備えた機能単位の断面拡大図
【図５】  図４に示す機能単位の把持具が閉じた状態を示す図
【図６】  杆状体と一体に形成した把持具の開いた状態を示す第１の変形拡大図
【図７】  図６に示した杆状体及び把持具を備えた探針の側面図
【図８】  図６に示した杆状体及び把持具を備えた探針の断面図
【図９】  杆状体を備えた探針中に配置した把持具の図８の矢印Ａ方向からの正面図
【図１０】  図８に示した杆状体を備えた探針のＢ−Ｂ断面図
【図１１】  図６に示した開放状態の把持具と一体に形成した杆状体の別の変形図
【図１２】  図１１のＣ−Ｃ断面図
【図１３】  開放状態の把持具と一体に形成した杆状体の第２の変形を示す探針の断面図
【図１４】  図１３の把持具が閉じた状態における探針を示す図
【図１５】  開放状態の把持具と一体に形成した杆状体の更に別の変形を示す探針の断面図
【図１６】  図１５の把持具が閉じた状態における探針を示す図
【図１７】  眼科用器具の機能単位の変形例を示す部分断面３次元図
【図１８】  図１７に示した杆状体を内部に備えた探針及び光ガイドのＤ−Ｄ部分断面図
【図１９】  図１７に示した杆状体及び光ガイドのＥ−Ｅ部分断面図
【図２０】  光ガイド及び把持具としての先端部を備えた探針の前部を図１７の矢印Ｆから見た平面図
【符号の説明】
２１        光源
２２        光ガイド
２４        外被
２５        眼科用器具
２６、２７  外被部材
３２        摺動ピン
３５        機能単位
３６、３８  管状部材
３７        入口開口部
４０        アクチュエータ
４４        付勢バネ
４５        案内スリーブ
４６        探針
４７        杆状体
４７．１、４７．２  アーム
４８、４８．１      アーム
４９        出口開口部
５０        先端部
５１、５１．１      滑り面
５２        隙間
５３、５３．１      円弧状壁
５４、５４．１      脚
５５        共通凹部
５５．１、５５．２  凹部
５６、５６．１      エッジ
５８        光束
５９        光線
６０        前端
６０．１    継ぎ目
【図１】
0004632621.tif 000002
【図２】
0004632621.tif 000003
【図３】
0004632621.tif 000004
【図４】
0004632621.tif 000005
【図５】
0004632621.tif 000006
【図６】
0004632621.tif 000007
【図７】
0004632621.tif 000008
【図８】
0004632621.tif 000009
【図９】
0004632621.tif 000010
【図１０】
0004632621.tif 000011
【図１１】
0004632621.tif 000012
【図１２】
0004632621.tif 000013
【図１３】
0004632621.tif 000014
【図１４】
0004632621.tif 000015
【図１５】
0004632621.tif 000016
【図１６】
0004632621.tif 000017
【図１７】
0004632621.tif 000018
【図１８】
0004632621.tif 000019
【図１９】
0004632621.tif 000020
【図２０】
0004632621.tif 000021